(57)【特許請求の範囲】
【請求項１】
ブリッジ（１６）を介して、鼻パッドを省略して形成されているレンズ部（３，３）又はフロントフレーム（４）と、このレンズ部（３，３）又はフロントフレーム（４）の両脇のヨロイとを介して、延長されているテンプル（２，２）の後にモダン（１，１）を取り付け、このモダン（１，１）を、耳殻（７，７）の外側の付け根の形状に沿わせるとともに、このモダン（１，１）で左右側頭骨（３１，３１）及び左右乳様突起（３２，３２）が挟持されていて、その後、耳朶（５，５）の裏側の付け根に沿って下方に延設して前方に湾曲され、このモダン（１，１）が顔の両側面を挟持しつつ上方に延設され、上端と接合されることにより、このモダン（１，１）がリング状体と成され、このモダン（１，１）に前記耳朶（５，５）の表面に当接する保持体（９，９）を取り付け、この耳朶（５，５）の裏面の前記モダン（１，１）の位置に、前記保持体（９，９）と協働する挟持ストッパー（２８，２８）を設け、前記レンズ部（３，３）又は前記フロントフレーム（４）にディスプレイ（１４）が設けられていることを特徴とする眼鏡。
【請求項２】
前記モダン（１，１）に取り付けた前記保持体（９，９）が、前記挟持ストッパー（２８，２８）と協働して、前記耳朶（５，５）を挟持するようにバネ（２９，２９）で付勢されていることを特徴とする請求項１記載の眼鏡。
【請求項３】
前記モダン（１，１）の上端が、前記テンプル（２，２）の後に回動自在に軸支されていて、前記モダン（１，１）が前記テンプル（２，２）に折り重なる方向に、折り畳めるように成されていることを特徴とする請求項１又は２記記載の眼鏡。
【請求項４】
前記レンズ部（３，３）又は前記フロントフレーム（４）又は前記ブリッジ（１６）に、パッド本体（１７，１７）付アーム（１８，１８）又は一体型パッド（１９，１９）が接合され、このパッド本体（１７，１７）付アーム（１８，１８）又は一体型パッド（１９，１９）が、鼻根（２２）に平行な方向に当接するように又は鼻根（２２）の前方斜め上向きの位置に当接されるように、ブリッジ（１６）又はフロントフレーム（４）の延在方向に対して直角に又は上向きに傾斜して設けられていることを特徴とする請求項１〜３の何れかに記載の眼鏡。
【請求項５】
前記テンプル（２，２）と前記モダン（１，１）との間及び／又はパッド本体（１７，１７）付アーム（１８，１８）又は一体型パッド（１９，１９）に、角膜頂点間距離が調整可能な調整機構（８，８）が設けられていることを特徴とする請求項１〜４の何れかに記載の眼鏡。
【請求項６】
前記眼鏡に、耳珠（１０，１０）に当接する耳珠当接体（２０，２０），補聴器（１１，１１），イヤホーン（１２，１２），装飾品（１３，１３），マイク（３０，３０）の少なくとも一つが取り付けられていることを特徴とする請求項１〜５の何れかに記載の眼鏡。
【発明の詳細な説明】
【技術分野】
【０００１】
本発明は、ウェアラブル機器用眼鏡に関する。
【背景技術】
【０００２】
従来の眼鏡は、レンズ部の重量が前方下向き傾斜の鼻パッドに押圧として掛かるように成されていて、この鼻パッドとへ字状のモダンとが互いに引き合うようにして固定されている。そのためレンズ部の重量が鼻の両側の柔らかい皮膚面を押圧し、この眼鏡を長期間掛けた場合、鼻パッドが当接した部分は変色して跡が残る。そこで、出願人は鼻パッドが顔に触れずに浮いた状態でかけることができる眼鏡を研究、開発し、複数件の特許を取得している。
【先行技術文献】
【特許文献】
【０００３】
【特許文献１】特許第５１９９５１１号
【特許文献２】特許第５１９９５０９号
【特許文献３】特許第４８２４８３８号
【特許文献４】特願２０１３−１０１９４７
【特許文献５】特願２０１３−１２６１８８
【特許文献６】特願２０１３−１８０８０８
【０００４】
特許文献１は、出願人が先に取得している発明の名称「眼鏡」特許第５１９９５１１号であり、下向き傾斜の鼻パッド１７を省略して形成されているレンズ部６又はフロントフレーム４と、このレンズ部６又はフロントフレーム４の両脇のヨロイとを介して、延長されているテンプル１０の後に、モダン７が耳殻１３の外側の形状に沿わせて延長されており、その終端部は耳朶１４を避けるように前方に湾曲されており、このモダン７の終端部の最後尾には、メガネを固定するための保持体１５が設けられていて、この保持体１５が耳珠１６の表裏面に当接した形状に成されていて、テンプル１０に連結部材１１を介するか、介せずして、モダン７を固定するか、又は折り畳めるモダン７を取り付けた眼鏡であって、眼鏡のレンズフレーム５，５又はレンズ６，６の内側上方角近傍又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられている構成である。
【０００５】
特許文献２は、出願人が先に取得している発明の名称「折り畳めるモダン」特許第５１９９５０９号であり、鼻パッド無しメガネのテンプル３、３の端部に、連結部材９、９を固定又は摺動自在に取り付け、この連結部材９，９に、頭の形状に沿って斜め上方に延設した固定具６，６の下方端が取り付けられ、この連結部材９，９に、耳殻４，４の外側の形状に沿わせて延長したモダン１，１が、耳朶５，５を避けるように前方に湾曲されていて、このモダン１，１の終端部の最後尾に、メガネを固定するための保持体２，２が、耳の耳珠７，７の表裏面に当接するように取り付けられ、このモダン１，１の上方端が、回動自在に軸支されていて、前記テンプル３，３に折り重なる方向に、折り畳めるように成されている構成である。
【０００６】
特許文献３は、出願人が先に取得している発明の名称「耳つぼメガネ」特許第４８２４８３８号であり、鼻パッドを取り外し、レンズ部が浮いた状態でかけることができるメガネである。一個又は二個のレンズがパッドを省略して形成されているレンズ部１１，１１と、このレンズ部１１，１１の両脇のヨロイ２，２とを介して、延長されているテンプル４，４の後に、モダン３，３が結合されているメガネであって、前記モダン３，３が耳殻２０，２０の外側の形状に沿わせて延長されており、その終端部は耳朶５，５を避けるように前方に湾曲されており、このモダン３，３の終端部の最後尾には、メガネを固定するための保持体７，７が設けられていて、この保持体７，７が耳珠１，１の表裏面に当接した形状に成されている構成である。
【０００７】
特許文献４の特願２０１３−１０１９４７は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、頭の形状に沿って斜め上方に延設した固定具６，６の下方端を、前記モダン１，１の上端に取り付け、耳殻７，７の外側の形状に沿わせて延長した前記モダン１，１が、耳朶５，５を避けるように前方に湾曲され、このモダン１，１の最終端に保持体９，９を取り付け、この保持体９，９が耳朶５，５に当接するように成されていて、この耳朶５，５の裏側の前記モダン１，１に、ストッパー２８，２８が設けられている構成である。
【０００８】
特許文献５の特願２０１３−１２６１８８は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１に、耳殻７，７の外側の形状に沿わせるとともに、その終端が耳朶５，５を避けるように前方に湾曲され、このモダン１，１の最終端に保持体９，９を取り付け、この保持体９，９が前記耳朶５，５に当接し、この耳朶５，５の裏面の前記モダン１，１の位置に、前記保持体９，９と協働して挟持ストッパー２８，２８が設けられている
【０００９】
特許文献６の特願２０１３−１８０８０８は出願人が先に出願している。ブリッジ１６を介して、下向き傾斜の鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を耳殻７，７の付け根の形状に沿わせるとともに、左右側頭骨３１，３１及び左右乳様突起３２，３２が挟持されていて、その後、耳朶５，５の裏側の付け根に沿って下方に延設して前方に湾曲され、この終端に保持体９，９を取り付け、この保持体９，９が前記耳朶５，５に当接するように成されている。
【００１０】
本発明は、この眼鏡のレンズ部３，３又はフロントフレーム４にディスプレイ１４を取り付け、メガネを安定して固定するために、モダン１，１がリング状体と成されている眼鏡であり、ウェアラブル機器の機能を有する眼鏡である点が、上記の特許文献１〜６との相違点であり、対比説明のできる文献ではありません。特許文献４，５，６は未公開である。
【発明の概要】
【発明が解決しようとする課題】
【００１１】
レンズ部３，３又はフロントフレーム４が浮いた状態で掛けられる眼鏡にウェアラブル機器１５，ディスプレイ１４を取り付け、実装感が良い眼鏡にすることを課題としている。
【課題を解決するための手段】
【００１２】
鼻パッドを省略して形成されているレンズ部３，３又はフロントフレーム４にウェアラブル機器１５用のディスプレイ１４を取り付け、このレンズ部３，３又はフロントフレーム４の両脇のヨロイとを介して、延長されているテンプル２，２の後端に、左右の耳の付け根周縁を挟持するリング状体のモダン１，１を取り付け、このモダン１，１に耳朶５，５の表面に当接する保持体９，９を取り付け、この耳朶５，５の裏面のモダン１，１の位置に、保持体９，９と協働して耳朶５，５を挟持する挟持ストッパー２８，２８が設けられている構成である。
【発明の効果】
【００１３】
本発明１の効果として、レンズ部３，３又はフロントフレーム４にウェアラブル機器１５用のディスプレイ１４を取り付け、側頭に当接したテンプル２，２の後に、左右の耳の付け根周縁を挟持するリング状体のモダン１，１を取り付け、このモダン１，１に耳朶５，５の表面に当接する保持体９，９と協働して耳朶５，５を挟持する挟持ストッパー２８，２８を設けることによって、ウェアラブル機器１５用眼鏡を顔面に触れずに浮いた状態で長時間安定して掛けることができる。
【００１４】
本発明２の効果として、モダン１，１に取り付けた保持体９，９と挟持ストッパー２８，２８が、耳朶５，５を挟持するようにバネ２９，２９で付勢されているので、適度の押圧で耳朶５，５を挟持して固定することができる。眼鏡を着脱する時は保持体９，９が外側に開くので利便性が良い。
【００１５】
本発明３の効果として、モダン１，１の上端が、テンプル２，２の後に回動自在に軸支されていて、モダン１，１がテンプル２，２に折り重なる方向に、折り畳めるように成されていることにより、従来のメガネと同じサイズにコンパクトにして、便利に使用することができる。
【００１６】
本発明４の効果として、レンズ部３，３又はフロントフレーム４の内側上方角近傍又はブリッジ１６に、鼻根２２に平行な方向に当接するように又は鼻根２２の前方斜め上向きの位置に当接するように、パッド本体１７，１７付アーム１８，１８又は一体型パッド１９，１９を、ブリッジ１６又はフロントフレーム４の延在方向に対して直角に又は上向きに傾斜して設けることにより、眼鏡が浮いた状態で鼻根２２に僅かに接触して、眼鏡を前後方向、左右方向にずれないように支持することができる。
【００１７】
本発明５の効果として、テンプル２，２とモダン１，１との間及び／又はパッド本体１７，１７付アーム１８，１８又は一体型パッド１９，１９に調整機構８，８を取り付け、視力矯正の為に、レンズ部３，３と目との間の角膜頂点間距離を、正確に調整して決めることができる。
【００１８】
本発明６の効果として、テンプル２，２又はレンズフレーム２３，２３にマイク３０，３０を取り付けることにより、補聴器１１，ウェアラブル機器に使用できる。モダン１，１に補聴器１１，１１イヤホーン１２，１２を取り付けることにより、メガネと補聴器１１，１１イヤホーン１２，１２を同時に使用することができる。耳の耳珠１０，１０に当接する耳珠当接体２０，２０に天然鉱石，突起部を設けることにより、メガネを掛けている間に耳つぼ効果が得られる。また、ピアス，イヤリングの代わりに、モダン１，１に装飾品１３，１３を取り付けてお洒落を楽しむことができる。装飾品１３，１３は保持体９，９やモダン１，１を隠し前方から見た場合、ファッション性に優れたウエァラブル機器１５用眼鏡になる。
【図面の簡単な説明】
【００１９】
【図１】本発明１の実施の形態の一例を示す斜視図、側面図である。
【図２】本発明１の実施の形態の一例を示す斜視図、側面図である。
【図３】本発明１の実施の形態の一例を示す斜視図、後面図である。
【図４】本発明１の実施の形態の一例を示す側面図である。
【図５】本発明２の実施の形態の一例を示す斜視図である。
【図６】本発明３の実施の形態の一例を示す側面図、後面図である。
【図７】本発明３の実施の形態の一例を示す側面図である。
【図８】本発明４の実施の形態の一例を示す側面図である。
【図９】本発明４の実施の形態の一例を示す上面図、斜視図である。
【図１０】本発明５の実施の形態の一例を示す側面図、断面図、側面図である。
【図１１】本発明５の実施の形態の一例を示す図である。
【図１２】本発明６の実施の形態の一例を示す斜視図である。
【図１３】本発明６の実施の形態の一例を示す側面図である。
【図１４】本発明６の実施の形態の一例を示す上面図、正面図、側面図である。
【発明を実施するための形態】
【００２０】
本発明は、テンプル２，２の後に耳の周縁を挟持するリング状体のモダン１，１を取り付け、このモダン１，１に耳朶５，５の表面に当接する保持体９，９と、この耳朶５，５の裏面のモダン１，１の位置に、保持体９，９と協働して挟持ストッパー２８，２８を設けることにより、ウェアラブル機器用眼鏡を浮いた状態で保持している。眼鏡のレンズ部３，３側を前方とし、モダン１，１側を後方としている。以下、本発明の実施の形態について、図面を参照して説明する。
【実施例１】
【００２１】
そこで、本発明の請求項１記載の眼鏡（以下、本発明１と言う）は、ブリッジ１６を介して、鼻パッドを省略して形成されているレンズ部３，３又はフロントフレーム４と、このレンズ部３，３又はフロントフレーム４の両脇のヨロイとを介して、延長されているテンプル２，２の後にモダン１，１を取り付け、このモダン１，１を、耳殻７，７の外側の付け根の形状に沿わせるとともに、このモダン１，１で左右側頭骨３１，３１及び左右乳様突起３２，３２が挟持されていて、その後、耳朶５，５の裏側の付け根に沿って下方に延設して前方に湾曲され、このモダン１，１が顔の両側面を挟持しつつ上方に延設され、上端と接合されることにより、このモダン１，１がリング状体と成され、このモダン１，１に前記耳朶５，５の表面に当接する保持体９，９を取り付け、この耳朶５，５の裏面の前記モダン１，１の位置に、前記保持体９，９と協働する挟持ストッパー２８，２８を設け、前記レンズ部３，３又は前記フロントフレーム４にディスプレイ１４が設けられていることを特徴としている。
【００２２】
実施の形態の一例として、第１ａ図は、本発明１のモダン１，１にウェアラブル機器１５及び保持体９，９と協働する挟持ストッパー２８，２８を取り付け、レンズフレーム２３にディスプレイ１４を取り付けた眼鏡の斜視図であり、第１ｂ図は、本発明１の眼鏡を掛けている人の側面図である。ブリッジ１６を介して、下向き傾斜の鼻パッドを省略して形成されているレンズ部３，３と、このレンズ部３，３の両脇のヨロイとを介して、延長されているテンプル２，２の後にモダン１，１を取り付け、このモダン１，１がリング状体と成され、このモダン１，１にウェアラブル機器１５と耳朶５，５の表面に当接する保持体９，９を取り付け、この耳朶５，５の裏面のモダン１，１の位置に、保持体９，９と協働する挟持ストッパー２８，２８を設け、レンズ部３，３にディスプレイ１４が設けられていることを示している。
【００２３】
実施の形態の一例として、第２ａ図は、フロントフレーム４にディスプレイ１４を取り付けたメガネタイプのウェアラブル機器１５の斜視図であり、第２ｂ図は、ウェアラブル機器１５を取り付けた眼鏡を掛けている人の側面図である。下向き傾斜の鼻パッドを省略して形成されているフロントフレーム４に、ディスプレイ１４を取り付けたウェアラブル機器１５を取り付け、フロントフレーム４の両脇のヨロイを介して、延長されているテンプル２，２の後にリング状体のモダン１，１を取り付け、このモダン１，１に耳朶５，５の表面に当接する保持体９，９を取り付け、この耳朶５，５の裏面のモダン１，１の位置に、保持体９，９と協働する挟持ストッパー２８，２８が設けられていることを示している。
【００２４】
第３ａ図は、本発明１のモダン１，１が挟持している側頭骨３１と乳様突起３２及び耳の耳殻７，外耳孔３３の位置を示す頭蓋骨の斜視図である。第３ｂ図は、本発明１の左右モダン１，１が左右側頭骨３１，３１及び左右乳様突起３２，３２を挟持していることを示す頭の後面図である。耳殻７，７の上方に側頭骨３１，３１が位置し、耳殻７，７及び耳朶５，５の後方に乳様突起３２，３２が位置する。耳殻７，７の付け根の全周縁にモダン１，１を当接させて挟持することによって、しっかりと眼鏡を固定することができる。
【００２５】
耳朶５，５は痛みを感じにくい場所であり、眼鏡を保持する場所として適している。耳の下端にある耳朶５，５は柔らかく浮いた状態であり、耳朶５，５の裏面と側頭の間には隙間が存在している。第３ｂ図に示すように、左右モダン１，１が左右側頭骨３１，３１及び左右乳様突起３２，３２を挟持した後、耳朶５，５の裏側の付け根に沿って下方に延設して前方に湾曲され、その終端に保持体９，９を取り付けている。この保持体９，９が耳朶５，５に当接して押されても耳朶５，５が動かないようにするために、外耳７，７の付け根に沿って設けているモダン１，１に保持体９，９と協働する挟持ストッパー２８，２８を設けている。モダン１，１及び保持体９，９の材質は、シリコン、ＣＰ、ポリエステル、アセテート、ＰＶＣ、ポリアミド、ニュクレル、形状記憶樹脂、スポンジ、ベータプラスチックなどである。
【００２６】
耳朶５，５は、一般的にピアスやイヤリングをする位置と言う認識があり、保持体９，９が適宜の強さで当接することには問題ない。保持体９，９の形状は、耳朶５，５と同様の色、形状にすることにより目立ちにくくできる。デザインによりピアスやイヤリングをしているように見える。髪の毛の多い人の場合、耳全体が髪の毛で隠されるので、どのような方法で眼鏡を支持して、浮かしているか分からない。下向き傾斜の鼻パッドを省略しているので、第図１ａで示しているように、レンズ部３，３、ブリッジ１６がスッキリしてファッション性が向上する。
【００２７】
本発明１のモダン１，１が、縦長のリング状体と成されていることは、モダン１，１が耳周縁の側頭に当接する部分の長さが最も長くなり、テンプル２２，２の弾性によるモダン１，１の押圧を広く分散することができる。そして、このモダン１，１の下端に耳朶５，５の表面に当接する保持体９，９を取り付け、この耳朶５，５の裏面のモダン１，１の位置に、保持体９，９と協働して挟持ストッパー２８，２８を設けていることは、眼鏡の形状からしてレンズ部３，３から最も遠い位置であり、モダン１，１の上端を支点とした場合、眼鏡を保持する場所として適している。
【００２８】
眼鏡を掛けた人を前方から見た場合、モダン１，１は耳珠１０，１０の横に縦方向の直線状にシンプルに見える。僅かに突出した耳珠１０，１０の横は窪んでいるので、モダン１，１はその位置で固定される。
【００２９】
ウェアラブル機器１５は現在開発中であり、今後軽薄短小に改良されるが、従来の下向き傾斜の鼻パッドのメガネタイプに取り付けた場合は、ウェアラブル機器１５の重量がレンズ部３，３又はフロントフレーム４にかかり、鼻根２２への負担が非常に大きい。しかし、本発明１のフロントフレーム４にウェアラブル機器１５を取り付けた場合、保持体９，９と挟持ストッパー２８，２８で挟持して固定している耳朶５，５は、痛みを感じにくい場所であり、エァラブル機器１５から最も遠い位置であり、モダン１，１の上端を支点とした場合、ウェアラブル機器１５を保持する場所として適している。リング状体のモダン１，１は耳周縁の側頭に当接する部分の長さも縦長で長く、テンプル２，２の弾性によるモダン１，１の押圧を分散することができるので、長時間に亘り安定してウェアラブル機器１５を装着することができる。
【００３０】
ウェアラブル機器１５とは、カメラ，マイク３０，スピーカー，インターネット接続を備え、音声操作でＡＲメガネをかけて手ぶらで歩きながら、スケジュールや天気予報、交通情報を調べたり、目的地へのルートを確認したり、友人とメールやビデオ通話で連絡を取り合ったり、ユーザーの健康状態を知らせてくれたり、日常生活の中で目にしている情報をディスプレイ１４上に表示することができる。ウェアラブルコンピューターは、出力デバイスであるディスプレイ１４を目の近くに接近させて設けるため、鼻パッドを省略し、装着感の良い本発明の眼鏡に取り付けることは最も敵している。
【００３１】
本発明１で言う眼鏡は，老眼鏡，度付きメガネ，ＴＶ・映画用３Ｄメガネ，伊達メガネ，サングラス，風防メガネ，カメラを取り付けたメガネ，拡大鏡を入れたメガネ，ライトを取り付けたメガネ，度数調整可能な液体レンズメガネ，剣道用メガネ，ウェアラブル機器１５を取り付けたメガネ，スクリーンに表示される画像を観察するための画像観察用メガネ，拡張現実（ＡＲ）機能を備えたメガネ，ヘッドバンドを取り付けた手術用メガネなどである。
【００３２】
実施の形態の一例として、本発明１の眼鏡の形状として、レンズ部３，３又はフロントフレーム４の両脇のヨロイを介して、延長されているテンプル２，２は折り畳めるように成されているが、レンズ部３，３又はフロントフレーム４の両脇のヨロイを取り付けずに一体成型して製作することもできる。
【実施例２】
【００３３】
本発明の請求項２記載の眼鏡（以下、本発明２と言う）は、前記モダン１，１に取り付けた前記保持体９，９が、前記挟持ストッパー２８，２８と協働して、前記耳朶５，５を挟持するようにバネ２９，２９で付勢されていることを特徴としている。
【００３４】
実施の形態の一例として、第５ａ図は、モダン１の下端部に取り付けた保持体９が、耳朶５を挟持するように本発明２のバネ２９で付勢していることを示す斜視図であり、第５ｂ図は、モダン１に本発明２のバネ２９を取り付けた保持体９と協働して耳朶５を挟持する挟持ストッパー２８の斜視図である。
【００３５】
耳周縁に当接した縦長のリング状体のモダン１，１は、当接部分が長く弾性体のテンプル２，２によって、適度な押圧で側頭に保持する。そして、このモダン１，１の下端部に取り付けた保持体９，９にバネ２９，２９の付勢する僅かな力が加わることにより、挟持ストッパー２８，２８と協働して、耳朶５，５を挟持するので、眼鏡がズレルことなく確実に固定している。
【００３６】
実施の形態の一例として、第５ｃ図は、本発明２のバネ２９を取り付けた保持体９を外側に曲げたことを示す斜視図であり、第５ｄ図は、本発明２のバネ２９を取り付けた保持体９を外側に曲げたモダン１の斜視図である。眼鏡を着脱する時に、指で僅かに動かすことにより利便性が良い。
【実施例３】
【００３７】
本発明の請求項３記載の眼鏡（以下、本発明３と言う）は、前記モダン１，１の上端が、前記テンプル２，２の後に回動自在に軸支されていて、前記モダン１，１が前記テンプル２，２に折り重なる方向に、折り畳めるように成されていることを特徴としている。
【００３８】
「テンプルに折り畳めるモダンを取り付けた眼鏡」とは、出願人が先に取得している特許第５１９９５０９号発明の名称「折り畳めるモダン」である。特許第４８２４８３８号の「耳つぼメガネ」のテンプルの端部に、連結部材を固定又は摺動自在に取り付け、この連結部材に、頭の形状に沿って斜め上方に延設した固定具の下方端が取り付けられ、モダンの上方端が、回動自在に軸支されていて、テンプルに折り重なる方向に、折り畳めるように成されている構成である。
【００３９】
実施の形態の一例として、第６ａ図は、本発明１のモダン１を連結部材２５に設けた軸２４により回動自在にした眼鏡の側面図であり、第６ｂ図は、モダン１を略９０度テンプル２に折り重なる方向に、折り畳んだ側面図であり、第６ｃ図は、モダン１をテンプル２に折り重なる方向に折り畳んだ後、テンプル２，２を内側のレンズ部３，３側に折り畳んだ状態を示す正面図である。本発明３のモダン１を前方に略９０度折り曲げてテンプル２，２に折り重なるように折り畳むことができる。実施の形態の一例として、連結部材２５，２５の軸２４，２４の部分にバネ丁番を取り付けるか、連結部材２５，２５に摺動可能な係止具を取り付け、モダン１，１側にスライドさせることによって、その展開状態を保持させることができる。
【００４０】
実施の形態の一例として、第７ａ図は、本発明１のモダン１を連結部材２５に設けた軸２４により回動自在にした眼鏡の側面図であり、第７ｂ図は、モダン１を略１８０度後方に押し上げたことを示す側面図であり、第７ｃ図は、後方に押し上げたモダン１をテンプル２に折り重なる方向に略２７０度折り曲げてテンプル２に折り重なるように折り畳んだことを示す側面図である。第６ａ図で示したモダン１を折り畳んでいる方向とは反対方向に、回転させて折り畳むことができる。この場合は係止具を使用することなく展開状態を保持できる。
【００４１】
かかる構成により、眼鏡を仕舞う時、モダン１を前方又は後方に回転させながら折り曲げて畳むことにより、従来のメガネと同じ大きさとなりケースに収まる。
【実施例４】
【００４２】
本発明の請求項４記載の眼鏡（以下、本発明４と言う）は、前記レンズ部３，３又は前記フロントフレーム４又は前記ブリッジ１６に、パッド本体１７，１７付アーム１８，１８又は一体型パッド１９，１９が接合され、このパッド本体１７，１７付アーム１８，１８又は一体型パッド１９，１９が、鼻根２２に平行な方向に当接するように又は鼻根２２の前方斜め上向きの位置に当接されるように、ブリッジ１６又はフロントフレーム４の延在方向に対して直角に又は上向きに傾斜して設けられていることを特徴としている。
【００４３】
出願人が先に発明の名称「眼鏡」特許第５１９９５１１号を取得している。特許第４８２４８３８号の「耳つぼメガネ」の眼鏡のレンズフレーム５，５又はレンズ６，６又はブリッジ２０又はフロントフレーム４に、パッド本体１，１付アーム２，２又は一体型パッド３，３が接合され、このパッド本体１，１又は一体型パッド３，３が、鼻根８に平行な方向に当接するように又は鼻根８の前方斜め上向きの位置に当接されるように、ブリッジ２０又はフロントフレーム４の延在方向に対して、直角に又は上向きに傾斜して設けられていることで、眼鏡を顔面に安定させるように成されている構成である。
【００４４】
実施の形態の一例として、第８ａ図は本発明４のパッド本体１７，１７付アーム１８，１８を取り付けた眼鏡の拡大図である。眼鏡のレンズフレーム２３，２３の内側端辺上方にアーム１８，１８の一方端を取り付け、このアーム１８，１８の他方端にパッド本体１７，１７を取り付けたことを示している。このパッド本体１７，１７の皮膚に当接する内側は鉛直状に形成され、鼻根２２に鉛直状に当接するので、皮膚に接する部分の形状は凹面になっている。
【００４５】
実施の形態の一例として、第８ｂ図は本発明４の一体型パッド１９をブリッジ１６に取り付けた眼鏡の拡大図である。眼鏡のブリッジ１６の内側にＹ字状の一体型パッド１９の一方端を取り付け、この一体型パッド１９の他方端の形状がパッド形状に成されていることを示している。このパッドの形状はメガネをかけた時、このパッドに接することにより、左右方向と後方向にずれないようにしている。メガネの位置が顔の中心になっていることを確かめる役割をしている。
【００４６】
実施の形態の一例として、第９ａ図は本発明４メガネタイプのウェアラブル機器１５の眼鏡を掛けている人の平面図である。眼鏡のブリッジ１６に、Ｙ字形の一体型パッド１９が接合され、この一体型パッド１９が、鼻根２２に鉛直に鼻根２２を挟んで当接することにより、左右方向と後方向にずれないので、ウェアラブル機器１５の眼鏡を顔面に安定させて掛けられることを示している。
【００４７】
実施の形態の一例として、第９ｂ図は本発明４のパッド本体１７，１７付アーム１８，１８を取り付けたメガネタイプのウェアラブル機器１５を掛けている人の斜視図である。眼鏡のブリッジ１６に、パッド本体１７，１７付アーム１８，１８が接合され、このパッド本体１７，１７付アーム１８，１８が、鼻根２２を上向きに挟んで当接することにより、左右方向と後方向にずれない様に支持し、ウェアラブル機器１５を顔面に浮いた状態で安定させて掛けられることを示している。
【００４８】
本発明４のパッド本体１７，１７の表面を構成する曲面は、鼻根２２の表面にほぼ合致した曲率の曲面に成型している。眼鏡を顔に装着した時、パッド本体１７，１７を皮膚に押し当てメガネが顔の所定の位置に保持される。パッド本体１７，１７の表面は、鼻根２２の表面にほぼ合致した曲面に形成されているので、眼鏡からの荷重が掛かることはない。鼻根２２の表面にパッド本体１７，１７の跡が付くようなことはなく、快適な装着感が得られる。
【００４９】
本発明４のパッド本体１７，１７に取り付けられているアーム１８，１８を、柔らかい材質、線径の細い材料で形成し、パッド本体１７，１７に加わるレンズ部３，３からの動きに応じて弾性変形するようにできる。眼鏡を顔に装着した時に、レンズ部３，３からの荷重を感じることはなく、両アーム１８，１８が僅かに弾性変形することにより、両パッド本体１７，１７が鼻の側面に強く当たることは防止され、長時間に亘って快適な装着感が得られる。
【実施例５】
【００５０】
本発明の請求項５記載の眼鏡（以下、本発明５と言う）は、前記テンプル２，２と前記モダン１，１との間及び／又はパッド本体１７，１７付アーム１８，１８又は一体型パッド１９に、角膜頂点間距離が調整可能な調整機構８，８が設けられていることを特徴としている。
【００５１】
実施の形態の一例として、第１０ａ図は本発明５の調整機構８を示す側面図であり、第１０ｂ図は第１０ａ図のａａ線による断面図である。リング状体のモダン１を軸２４により回動自在に軸支した連結部材２５に、テンプル２の後端を摺動自在に挿入し、適宜の位置でネジ２６を締めて固定できることを示している。第１０ｃ図は、本発明５の調整機構８をテンプル２の前に設けた側面図である。テンプル２の前方に設けた連結部材２５にテンプル２を摺動自在に挿入し、適宜の位置でネジ２６を締めて固定できることを示している。角膜頂点間距離を調整することは、眼鏡の装用者にとって最も重要なことであり、レンズの性能に大きく影響する。
【００５２】
実施の形態の一例として、第１１ａ図は本発明５のパッド本体１７，１７付アーム１８，１８をレンズフレーム２３，２３の内側上端に取り付けたことを示す拡大図である。アーム１８，１８の略中間が内側に湾曲されている。この湾曲の大きさを調整してパッド本体１７，１７を装用者の顔面の正しい位置に当接することにより、鏡を見ずに眼鏡の中心を顔の中心に位置決めできる。
【００５３】
実施の形態の一例として、第１１ｂ図は本発明５の一体型パッド１９をブリッジ１６に調整可能に取り付けた拡大図である。ネジ２６付筒体２７を調整機構８としてブリッジ１６に接合し、そのネジ２６付筒体２７の空孔部に一体型パッド１９を挿入し、適宜の位置でネジ２６を締めて前後方向が調整できる。また、一体型パッド１９のＹ字部を曲げることによって、メガネフレーム２３，２３を装用者の顔面の正しい角膜頂点間距離の位置に保持できる。
【実施例６】
【００５４】
本発明の請求項６記載の眼鏡（以下、本発明６と言う）は、前記眼鏡に、耳珠１０，１０に当接する耳珠当接体２０，２０，補聴器１１，１１，イヤホーン１２，１２，装飾品１３，１３，マイク３０，３０の少なくとも一つが取り付けられていることを特徴としている。
【００５５】
実施の形態の一例として、第１２ａ図は、本発明６の耳珠当接体２０が、モダン１に取り付けた保持体９から補助棒２１を介して、耳珠１０に当接している斜視図である。耳つぼの飢点を刺激して、耳つぼのダイエット効果がある。第１２ｂ図は、本発明６の骨伝導式のイヤホーン１２を、モダン１に取り付け側頭に当接している斜視図である。
【００５６】
実施の形態の一例として、第１２ｃ図は、本発明６の補聴器１１又はイヤホーン１２を、モダン１から補助棒２１を介して取り付けた斜視図である。第１２ｄ図は本発明６の装飾品１３を、モダン１及びモダン１に取り付けた保持体９に取り付けた斜視図である。この装飾品１３によりモダン１の外観から見える部分を隠すことができる。イヤリング，ピアスの代わりにイヤーポイントとして装飾品１３を保持体９，９やモダン１，１に取り付けてお洒落を楽しむことができる。
【００５７】
実施の形態の一例として、第１３ａ図は、本発明１の保持体９を着脱可能にするために方形にしたモダン１の終端を、方形の穴を設けた保持体９に差し込んで固定していることを示している。第１３ｂ図は、本発明１の保持体９をモダン１から抜いたことを示している。第１３ｃ図は、本発明６の装飾品１３を着脱可能にして取り付けていることを示している。第１３ｄ図は、本発明１の保持体９に２個のピン穴３４，３４を設け、本発明６の装飾品１３に２本のピン３５，３５を取り付けたことを示している。
【００５８】
実施の形態の一例として、一個の保持体９に２個のピン穴３４，３４を取り付け、多種類の装飾品１３の裏面に２本のピン３５，３５を設け、このピン３５，３５を差し込むことにより、簡単に交換することができる。保持体９と装飾品１３を一体にして製作することも可能である。耳朶５，５の裏面のモダン１，１の位置に取り付けた本発明１の保持体９，９や挟持ストッパー２８，２８により、本発明６の耳珠当接体２０，２０、骨伝導式のイヤホーン１２，１２、補聴器１１，１１、装飾品１３，１３、イヤホーン１２，１２を保持体９，９に接続しても安定して眼鏡を固定することができる。
【００５９】
実施の形態の一例として、第１４ａ図は、本発明６のマイク３０，３０が、レンズフレーム２３，２３の一箇所に取り付けられている上面図である。レンズフレーム２３，２３の内側下端に設けることは、口に最も近接した位置である。実施の形態の一例として、第１４ｂ図は、本発明６の補助棒２１の先端に取り付けたマイク３０が、レンズフレーム２３の外側下端に設けた軸２４に回動自在に取り付けられている正面図である。マイク３０を先端に取り付けた補助棒２１は、レンズフレーム２３の下端の形状に沿った形状であり、使用後は収納可能である。
【００６０】
第１４ｃ図は、本発明６のマイク３０が、フロントフレーム４に回動自在に設けられている側面図である。マイク３０を補助棒２１の先端に取り付け、この補助棒２１の他端をフロントフレーム４に設けた軸２４に回動自在に軸支することにより、マイク３０を収納可能に設けることができる。マイク３０の位置は口の横まで伸ばすことができるので、話しやすい。
【００６１】
ウエァラブル機器のマイク３０は、音声操作でＡＲメガネをかけて手ぶらで歩きながら、スケジュールや天気予報、交通情報を調べたり、目的地へのルートを確認したり、友人とメールやビデオ通話で連絡を取り合ったりできるので、口に近い位置に設けることが望ましい。
【産業上の利用可能性】
【００６２】
以上のように、本発明の眼鏡は、レンズ部３，３又はフロントフレーム４にディスプレイ１４を取り付けることにより、眼鏡型のウエァラブル機器となる。リング状体である左右モダン１，１は左右側頭骨３１，３１及び左右乳様突起３２，３２及び顔の両側面を挟持し、保持体９，９と協働する挟持ストッパー２８，２８を設けることにより、長期間眼鏡を掛けていても実装感が良く、浮いた状態で安定して掛けることができる。鼻の横に跡が付いたり、皮膚の色が変色したりする事がない。テンプル２，２の後に、リング状体のモダン１，１を折り畳めるようにして設けることでコンパクトとなる。モダン１，１に取り付けた補聴器１１，１１イヤホーン１２，１２装飾品１３，１３耳珠当接体２０，２０により、本発明のメガネはファッション性、機能性に優れた眼鏡として適している。
【符号の説明】
【００６３】
１    モダン
２    テンプル
３    レンズ部
４    フロントフレーム
５    耳朶        
７    耳殻
８    調整機構
９    保持体
１０    耳珠
１１    補聴器
１２    イヤホーン
１３    装飾品
１４    ディスプレイ
１５    ウェアラブル機器
１６    ブリッジ
１７    パッド本体
１８    アーム
１９    一体型パッド
２０    耳珠当接体
２１    補助棒
２２    鼻根
２３    レンズフレーム
２４    軸
２５    連結部材
２６    ネジ
２７    筒体
２８    挟持ストッパー
２９    バネ
３０    マイク  
３１    側頭骨
３２    乳様突起
３３    外耳孔
３４    ピン穴
３５    ピン
【要約】
【課題】
レンズ部３，３又はフロントフレーム４が浮いた状態で掛けられる眼鏡にウェアラブル機器１５，ディスプレイ１４を取り付け、実装感が良い眼鏡にすることを課題としている。
【解決手段】
鼻パッドを省略して形成されているレンズ部３，３又はフロントフレーム４にウェアラブル機器１５用のディスプレイ１４を取り付け、このレンズ部３，３又はフロントフレーム４の両脇のヨロイとを介して、延長されているテンプル２，２の後端に、左右の耳の付け根周縁を挟持するリング状体のモダン１，１が取り付け、このモダン１，１に耳朶５，５の表面に当接する保持体９，９を取り付け、この耳朶５，５の裏面のモダン１，１の位置に、保持体９，９と協働して耳朶５，５を挟持する挟持ストッパー２８，２８が設けられている構成である。
【選択図】    図１【図１】
0005406411.tif 000002
【図２】
0005406411.tif 000003
【図３】
0005406411.tif 000004
【図４】
0005406411.tif 000005
【図５】
0005406411.tif 000006
【図６】
0005406411.tif 000007
【図７】
0005406411.tif 000008
【図８】
0005406411.tif 000009
【図９】
0005406411.tif 000010
【図１０】
0005406411.tif 000011
【図１１】
0005406411.tif 000012
【図１２】
0005406411.tif 000013
【図１３】
0005406411.tif 000014
【図１４】
0005406411.tif 000015